(57)【特許請求の範囲】
【請求項１】
車両用の脱臭装置であって、脱臭剤（３）のための少なくとも１つの開口部（７、８）が設けられている前記脱臭剤（３）用の容器（２）と、前記脱臭装置（１）を車両の内部の換気スロットへ取り付けることを目的とした、少なくとも１つのクランプ部（６）を備えている保持装置（４）と、を有している脱臭装置において、前記少なくとも１つのクランプ部（６）は、弾性材料から作られ、車両の換気スロットの中へ保持式に導入できるように構成されており、
前記クランプ部（６）は、円形又は楕円形の断面を有し、前記クランプ部は、楕円放物面の形態をした又は切頭円錐の外部形状を有する１つ又はそれ以上のパネル（１８）であって、パネル（１８）が１つより多い場合、前記クランプ部（６）の長手方向に互いに連なって配列されている１つ又はそれ以上のパネル（１８）を備えていることを特徴とする、脱臭装置。
【請求項２】
前記少なくとも１つのクランプ部（６）の外形状が、円錐又は円柱と同等な楕円放物面の形態を有しており、前記放物面の極値又は前記円錐の頂点は、前記脱臭剤(３)用の前記容器（２）から見て外方に面している、ことを特徴とする請求項１に記載の脱臭装置。
【請求項３】
前記容器（２）には、当該容器（２）の前記少なくとも１つの開口部（７、８）を少なくとも部分的に閉じられるようにするスライダ（１２）が宛がわれている、ことを特徴とする請求項１又は請求項２に記載の脱臭装置。
【請求項４】
前記クランプ部（６）の前記１つ又はそれ以上のパネル（１８）は、回転放物面の形態又は円形基底を有する切頭円錐の外部形状を有している、ことを特徴とする請求項１に記載の脱臭装置。
【請求項５】
前記クランプ部（６）の前記１つ又はそれ以上のパネル（１８）の外面には突起（２１）が設けられている、ことを特徴とする請求項１に記載の脱臭装置。
【請求項６】
前記突起は、丸みが付いて山で終わっている、及び／又は、リブとして具現化されている、ことを特徴とする請求項５に記載の脱臭装置。
【請求項７】
前記クランプ部（６）の前記１つ又はそれ以上のパネル（１８）には当該１つ又はそれ以上のパネル（１８）を支持する目的の支持部材（２２、２２’）が宛がわれており、前記支持部材（２２、２２’）は、具体的には、ひだ又はリブとして具現化されている、ことを特徴とする請求項１乃至６の何れか１項に記載の脱臭装置。
【請求項８】
前記クランプ部（６）は、別体部分として具現化されている、ことを特徴とする請求項１乃至７の何れか１項に記載の脱臭装置。
【請求項９】
前記クランプ部（６）は、シリコン、ゴム、及び／又は熱可塑性エラストマー、を材料として備えている、ことを特徴とする請求項１乃至８の何れか１項に記載の脱臭装置。
【請求項１０】
前記クランプ部（６）は、ショア３０Ａ乃至ショア９０Ａの範囲の硬度を有している、ことを特徴とする請求項１乃至９の何れか１項に記載の脱臭装置。
【請求項１１】
前記容器（２）は、細長式に実施され、少なくとも２つのクランプ部（６）が設けられており、それぞれのクランプ部（６）は、前記細長い容器（２）の端区域に設けられている、ことを特徴とする請求項１乃至１０の何れか１項に記載の脱臭装置。
【請求項１２】
前記脱臭剤（３）は芳香スティック（５）の形態で提供されており、前記芳香スティック（５）は、材料として、少なくとも１つのポリマー、具体的にはエラストマーと、前記脱臭剤（３）と、から作られた合成物を備えており、前記芳香スティックは複数の吐出開口部（１６）を有している、ことを特徴とする請求項１乃至１１の何れか１項に記載の脱臭装置。
【発明の詳細な説明】
【技術分野】
【０００１】
（関連出願の参照）
本願は、２０１１年３月２９日に出願されたドイツ特許出願第１０２０１１００１６３７．６号への優先権を主張し、その開示全体をこれにより参考文献として援用する。
【０００２】
本発明は、特許請求の範囲の請求項１の序文に記載の車両用の脱臭装置に関する。ここでは「車両」という用語は、乗用車やトラックの様な陸上車両はもとより航空機をも指す。
【背景技術】
【０００３】
車両の内部のための脱臭装置は、ドイツ特許出願第１０２００９００６１９２Ａ１号から知られている。脱臭装置は、空気吸込開口部と空気吐出開口部を有する閉鎖容器内に収容されている脱臭剤のためのフラスコを備えている。脱臭装置は、後部中央ノズルの管を用いて車両の内部に配置させることができる。管は、空気吸込開口部へ接続されており、よって、ダイヤフラムポンプによって運ばれてきた空気の流れは、車両の内部からの事前調整され浄化された空気と共に、管及び空気吸込開口部を通って閉鎖容器の内部へ入り、瓶の周りを進んで閉鎖容器の上区域へ流れてくると、そこで、開口部を通過してフラスコの内部へ入り、脱臭剤の表面に接触する。今や脱臭剤分子で強化された空気の流れは、車両の内部へと、吐出管及び閉鎖容器の空気吐出開口部を通って流れてゆく。
【先行技術文献】
【特許文献】
【０００４】
【特許文献１】ドイツ特許出願第１０２０１１００１６３７．６号
【特許文献２】ドイツ特許出願第１０２００９００６１９２Ａ１号
【特許文献３】イタリア特許出願第ＭＩ２００９Ａ００１９８２号
【特許文献４】国際特許出願第ＰＣＴ／ＥＰ２０１０／０６７２７７号
【発明の概要】
【発明が解決しようとする課題】
【０００５】
本発明の効用は、車両用の脱臭装置において、単純な構造をしていて、車両の内部へ簡単かつ確実に取り付けることのできるという点で使用者にとって使い勝手が良く、また車両の内部の効率的な脱臭を可能にする脱臭装置、を提供することである。
【課題を解決するための手段】
【０００６】
上記の効用は、特許請求の範囲の請求項１の特徴を有する脱臭装置によって実現されている。
【０００７】
発明された脱臭装置は、当該脱臭装置を車両の内部の換気スロットへ、具体的には車両の後部中央ノズルの換気スロットへ、取り付けるための保持装置を有する脱臭剤用容器を備えている。脱臭剤用容器は、１つ又はそれ以上の開口部を有している。保持装置は、楕円形又は円形の断面を有する、弾性材料から作られた少なくとも１つのクランプ部を備えている。クランプ部は、車両の換気スロットの中へ保持式に導入できるように構成されている。
【０００８】
クランプ部の横断方向は、クランプ部が延びている方向に垂直に走る方向と定義されている。クランプ部が延びている方向は、その長手方向に対応している。楕円は、ここでは、長円形の閉じた曲線と定義されている（ｈｔｔｐ：／／ｄｅ．ｗｉｋｉｐｅｄｉａ．ｏｒｇ／ｗｉｋｉ／Ｅｌｌｉｐｓｅ）［ＥＮ：ｈｔｔｐ：／／ｅｎ．ｗｉｋｉｐｅｄｉａ．ｏｒｇ／ｗｉｋｉ／Ｅｌｌｉｐｓｅ］。
【０００９】
発明された脱臭装置の少なくとも１つのクランプ部は、好適な実施形態では、円錐又は円柱と同等の楕円放物面の形態をしている外形状を有しており、放物面の極値又は円錐の頂点は、脱臭剤用容器から見て外方に面している。外形状は、包絡線の三次元変形と理解している（ｈｔｔｐ：／／ｄｅ．ｗｉｋｉｐｅｄｉａ．ｏｒｇ／ｗｉｋｉ／Ｅｉｎｈuｌｌｅｎｄｅ）［ＥＮ：ｈｔｔｐ：／／ｅｎ．ｗｉｋｉｐｅｄｉａ．ｏｒｇ／ｗｉｋｉ／Ｅｎｖｅｌｏｐｅ＿（ｍａｔｈｅｍａｔｉｃｓ）。極値は、クランプ部の長手方向の放物面最大点と理解されたい。
【００１０】
クランプ部は、好ましくは、好適材料とされるシリコン、ゴム、及び／又は熱可塑性エラストマーから作られるか又はその様な材料を備えており、それにより、クランプ部の材料はショア３０Ａ乃至ショア９０Ａの範囲の硬度を有しているのが好ましい。
【００１１】
本発明が関する脱臭装置は、車両の内部の換気スロットの中へ、単純に、少なくとも１つのクランプ部を用いて導入させることができ、車両の走行中又は振動中でさえも、当該クランプ部によって安定し固定された状態に保たれる。脱臭装置を車両の内部の換気スロットへ取り付けることにより、喚起スロットを通って出てゆく空気は、脱臭剤用容器に設けられている１つ又はそれ以上の開口部を通って脱臭剤と接触に至ることができ、それにより脱臭剤の分子で強化され、脱臭剤分子で強化された空気が車両の内部へ進入し、内部を効率的に脱臭するという具合である。
【００１２】
発明の更に好都合な実施形態は、特許請求の範囲の従属請求項に示されており、発明を実施することについての以下の例は図面に描かれている。
【００１３】
図中、同様の符号は、同じ構成要素又は同じ機能を有する構成要素を指し示している。図中の寸法及び大きさの情報は、本質的に例示にすぎず、ミリメートルの単位で与えられている。
【図面の簡単な説明】
【００１４】
【図１】本発明による脱臭装置の斜視図である。
【図２】本発明による脱臭装置の上面図である。
【図３】本発明による脱臭装置の図２のＡ−Ａ'切断線に沿った断面図である。
【図４】本発明による脱臭装置の前面図である。
【図５】本発明による脱臭装置の後面図である。
【図６】本発明による脱臭装置の側面図である。
【図７】本発明による脱臭装置の分解図である。
【図８ａ】本発明による脱臭装置のクランプ部の長手方向断面図である。
【図８ｂ】本発明による脱臭装置のクランプ部の底面図である。
【図８ｃ】本発明による脱臭装置のクランプ部の斜視図である。
【図９ａ】本発明による脱臭装置の突起の設けられたクランプ部の底面図である。
【図９ｂ】本発明による脱臭装置の突起の設けられたクランプ部の長手方向断面図（上半部）及び側面図（下半部）である。
【図１０ａ】本発明による脱臭装置の、最初の実施形態における支持部材の設けられたクランプ部の長手方向断面図（上半部）及び側面図（下半部）である。
【図１０ｂ】本発明による脱臭装置の、最初の実施形態における支持部材の設けられたクランプ部の底面図（下半部）である。
【図１１ａ】本発明による脱臭装置の、第２の実施形態における支持部材の設けられたクランプ部の長手方向断面図（上半部）及び側面図（下半部）である。
【図１１ｂ】本発明による脱臭装置の、第２の実施形態における支持部材の設けられたクランプ部の底面図（下半部）である。
【図１２ａ】本発明による脱臭装置の、第３の実施形態における支持部材の設けられたクランプ部の長手方向断面図（上半部）及び側面図（下半部）である。
【図１２ｂ】本発明による脱臭装置の、第３の実施形態における支持部材の設けられたクランプ部の底面図（下半部）である。
【図１３ａ】本発明による脱臭装置の、第４の実施形態における支持部材の設けられたクランプ部の長手方向断面図（上半部）及び側面図（下半部）である。
【図１３ｂ】本発明による脱臭装置の、第４の実施形態における支持部材の設けられたクランプ部の底面図（下半部）である。
【図１４】本発明による脱臭装置の重なり合うパネルの設けられたクランプ部の長手方向断面図（上半部）及び側面図（下半部）である。
【図１５】本発明による装置のリブの設けられたクランプ部の長手方向断面図（上半部）及び側面図（下半部）である。
【発明を実施するための形態】
【００１５】
図１から図７は、本発明による脱臭装置１であって、脱臭剤３用の容器２を有し、かつ脱臭装置１を車両の内部の換気スロットへ取り付けるための保持装置４を有している、脱臭装置１を示している。脱臭剤３は、取り替え可能な芳香スティック５の形態をしているのが好ましい。脱臭装置１の図５に描かれている後面図は、脱臭装置１が換気スロットへ取り付けられたときの脱臭装置１の換気スロット側に対応している。脱臭装置１の図４に描かれている前面図は、脱臭装置１の後面図とは反対の側に対応している。保持装置４は、脱臭装置１が取り付けられたときの、脱臭装置１の換気スロットに面した側に配置されている。
【００１６】
保持装置４は、楕円形又は円形の断面を有する弾性材料から作られた少なくとも１つのクランプ部６を備えている。クランプ部４（原文のまま）は、車両の換気スロットの中へ保持式に導入できるように構成されている。即ち、クランプ部６の楕円形又は円形断面の寸法は、少なくとも１つのクランプ部６を換気スロットの中へ装入／導入すると脱臭装置１を換気スロットへ取り付けることができ、脱臭装置１はクランプ部６によって保持式にそこに保定されるという具合に、換気スロットの寸法、具体的には換気スロットの幅に依存して選択されている。
【００１７】
容器２は、保持装置４と同じ側に、１つの、好適には複数の、開口部７が設けられている。脱臭装置１が取り付けられると、空気が換気スロットからこれらの開口部７を通って容器２の中へ流れ込み、脱臭剤３と接触に至り、脱臭剤の分子で強化される。容器２は、１つの、好適には複数の、開口部７とは反対側に設置された１つの、好適には複数の、開口部８を有しており、強化された空気は、当該開口部８を通って、車両の内部の中へ出てゆき、当該内部を脱臭することができる。開口部８は、脱臭装置が取り付けられたとき、車両の内部に向いている。開口部８に加えて、又は開口部８の代わりに、容器２の片方又は両方の側壁及び／又は容器の底面へも開口部を設けることができる。
【００１８】
容器２は、好適には細長式の形をとっていて、少なくとも２つのクランプ部６（図１から図７に例示）が、容器２の側方端区域にそれぞれ配列されて設けられている。容器２は、２つのクランプ部６を同じ換気スロットに配列させて換気スロットへ取り付けられたときは、換気スロットに沿って延びている。また当然ながら、クランプ部６を異なった換気スロットの中へ導入して容器２を換気スロットに横断方向に配列することも可能である。
【００１９】
脱臭剤用容器は、例えば円形の形状に実施されていてもよく、その場合、１つ又はそれ以上のクランプ部を有する保持装置は、後面、即ち取り付けられたときに容器の換気スロットに面している側、好適には当該後面の中央に、設けられる。この実施形態は、特に、円形状の後部中央ノズルの場合によく見かけられる円形状の換気スロットに適している。
【００２０】
容器２は、取り外し可能な覆い１０及び取り外し可能な側壁１１を備えているのが好ましい。また、容器２には、開口部７、８を少なくとも部分的に閉じることができるようにする調節可能なスライダ１２を設け、この手段によって脱臭が調整されるようになっているのが好ましい。スライダ１２は、好適には、容器２内に配置されていて、それぞれの開口部７、８につき１つのタブ１３を有しており、タブ１３は、それへ宛がわれている開口部に平行に延びていて、この開口部の前を動かせるようになっている。スライダ１２は、脱臭剤３又は芳香スティック５をタブ１３で部分的に封包する。スライダ１２は、開口７、８を閉じるために容器２の長手方向に手で動せられるようにする把持部１４を有しているのが好ましい。容器２の覆い１０は、使用者が把持部１４にアクセスし、この手段によってスライダを動かすことができるように、把持部１４を通して突き出させる開口部１５を有している。
【００２１】
図１から図７に描かれている脱臭剤は、芳香スティック５の形態で提供されているのが好ましく、それにより、芳香スティック５は、材料として、少なくとも１つのポリマー、具体的にはエラストマーと、脱臭剤と、から作られた合成物を備えているか、又はその様な材料から作られている。ポリマーは、脱臭剤で強化されており、脱臭剤の担体として機能している。芳香スティック５は、出てゆく空気を通過させて換気スロットから流出できるようにする複数の吐出開口部１６を有しているのが好ましい。吐出開口部１６を設けることで、換気スロットから流れ出る空気を脱臭剤と接触に至らせる表面積が広くなり、その結果、脱臭装置１を通って流れる空気の脱臭剤分子による強化が高まる。吐出開口部１６は、換気スロットからの空気の流れの方向に整列しているのが好ましい。この型式の芳香スティックは、イタリア特許出願第ＭＩ２００９Ａ００１９８２号並びに国際特許出願第ＰＣＴ／ＥＰ２０１０／０６７２７７号から既に知られており、これによりそれらへの参照をなす。
【００２２】
代わりに、脱臭剤は、粒の形態で、容器２の中に配置されているケージに収容されて提供されることもあり得る。
【００２３】
例えば図６及び図８に描かれている様に、クランプ部６は、好適には、楕円放物面の形態を有している２つのパネル１８を備えており、それぞれの楕円放物面の極値即ち最大点は脱臭剤用容器２から見て外方に面している。「楕円放物面の形態」という表現は、これにより、楕円放物面の錐台の形態も含む。代わりに、１つ又はそれ以上のパネルは、切頭円錐の外部形状を有していてもよい。クランプ部の１つ又はそれ以上のパネルは、同様に、回転放物面又は円形基底を有する切頭円錐の形態をしていてもよい。代わりに、１つ又はそれ以上のパネルは、長円基底を有する楕円放物面又は長円基底を有する切頭円錐の形態を有していてもよい。パネルは、クランプ部６の長手方向に互いに連なって配列されている。当然ながら、クランプ部６は、スクリーンを１つしか有していなくてもよいし、又は２つより多くのスクリーンを有していてもよい。これらの場合には、クランプ部６の１つ又はそれ以上のパネル１８は、クランプ部６のその包絡線の発端に又は内に画定されている外形状内に納まっている。
【００２４】
好適には、クランプ部２が容器２に取り付けられたときに当該容器により近接に配置されているパネル１８ほど、その面積はクランプ部材６の他のパネルが設けられている場合のそれら他のパネルに比較して大きく、その結果、クランプ部６の換気スロットの中への導入が可能になる。図８は、それぞれが楕円放物面の形態を有する２つのパネル１８を有しているクランプ部６の例示としての寸法を示している。クランプ部６は、パネル１８同士をその中心で互いへ接続させているシャフト１９を有している。
【００２５】
１つ又はそれ以上のクランプ部６は、射出成形によって製造されているのが好ましい。而して、クランプ部６は、容器２へ直接付着させることができる。代わりに、それぞれのクランプ部６は、ねじ連結又はスナップ締結を用いて容器２へ固着されていてもよい。例えば、スナップ締結は、容器２のクランプ部６に面する側の、それぞれのクランプ部６につき１つの保定カムを用い、その上へ各クランプ部を取り付けることによって実施されていてもよい（図３及び図７参照）。クランプ部６は、容器２に面する側に陥凹２０を有し、クランプ部の適用／取り付け時にはその中へ保定カムがパチンと嵌る（図８参照）。
【００２６】
また、それぞれのクランプ部６を固着する目的で、容器２はそれから外を向いているピンを有し、その上へそれぞれのクランプ部６が取り付けられるようになっていてもよい。これについて、クランプ部６は、ピンを導入させる細長い陥凹を有しており、ピンの直径は、堅固な保持のためには、細長い陥凹の直径より幾分大きくされているのが好ましい。ピンは側方突起を有し、細長い陥凹は側方窪みを有し、クランプ部６を容器２へ取り付ける目的でピンの側方突起が細長い陥凹の側方窪みの中へ導入され、それによりスナップ締結が得られるようになっていてもよい。代わりに、ピンが側方窪みを有し、細長い陥凹がその内部に内向突起を有し、クランプ部６を容器２へ取り付ける目的で細長い陥凹の内向突起がピンの側方窪みの中へ導入され、同様にスナップ締結がもたらされるようになっていてもよい。代わりに、又は追加的に、ピンと細長い陥凹は、接着剤を用いて互いに接続されてもよい。
【００２７】
代わりに、それぞれのクランプ部６は、容器２に面する側に弾性締結部材を有していてもよく、それは、容器２の保持装置４に面する側を貫く通路によって効力を発揮し、容器２の保持装置４に面する壁の裏側に係合する。スナップ締結は、それによっても得られる。
【００２８】
図９に示されている様に、１つ又はそれ以上のパネル１８の外面には、外を向いている突起２１が設けられており、それぞれの突起２１は、断面平面内を関連付けられているパネル１８の周囲に沿って延び、各パネル１８の周りに閉じており、而して、円形又は楕円形の形状を形成している。これは、クランプ部６ひいては発明された脱臭装置１の車両内部の換気スロットへの掴みを良くすることができる。突起は、山を有する丸みのある（図９ｂに表現）端であるか又は先細であってもよいし、又はリブとして具現化されていてもよく、ここに、リブは薄い円盤又は板であるものと理解されたい。
【００２９】
それぞれのクランプ部６の１つ又はそれ以上のパネル１８には、それら１つ又はそれ以上のパネル１８を支持する目的で、支持部材２２、２２’が宛がわれているのが好ましく（図１０から図１３）、それらは、ひだ又はリブとして具現化され、クランプ部６の長手方向に延びていてもよい。支持部材は、パネル１８の内面に配列されていてもよいし（図１０及び図１１の符号２２）、パネル１８の外面に配列されていてもよいし（図１２の符号２２’）、パネル１８の内面と外面に配列されていてもよい（図１３の符号２２及び２２’）。図１３に示されている様に、支持部材２２、２２’がパネル１８の内面と外面に配列されている場合、それらは互いの筋向いに配置されているのが好ましい。支持部材２２、２２’は、少なくとも部分的に、それらが関連付けられているパネル１８の長辺に沿って延びている。
【００３０】
パネルの少なくとも一方の面には少なくとも４つの支持部材２２、２２’が、断面平面内で互いに９０度の角度に配列されて設けられているのが好ましい（図１１及び図１３参照）。とはいえ、パネル１８の一方の面には、図１０及び図１２に示されている様に、より多くの支持部材２２、２２’が、好適には２つの隣り合う支持部材２２、２２’の間の角度が同じ大きさになるようにして、設けられていてもよい。
【００３１】
図１４は、長手方向に連続に配列されていて楕円放物面の形態を有している例示としての５つのパネル１８を有するクランプ部６を描いている。パネル１８は、クランプ部６の長手方向に互いに少なくとも部分的に重なり合うような具合に配置されており、その結果、クランプ部６の安定性が高まる。
【００３２】
図１５に描かれている或る代わりの実施形態によれば、発明された脱臭装置１のそれぞれのクランプ部６は、クランプ部６の横断方向に放射状に延びる１つ又はそれ以上のリブ２３を有している。複数のリブ２３が設けられている場合、それらはクランプ部６の長手方向に互いに連なって配列されている。リブ２３は、クランプ部６の長手方向に延びるシャフト１９’を介して互いに接合されている。リブ２３をたった１つだけ、シャフト１９’上を螺旋構成に走るように配置させて設けることも可能である。１つ又はそれ以上のリブ２３の寸法は、それらがクランプ部６のその包絡線の発端に又は内に画定されている外形状内に納まるような寸法である。
【００３３】
少なくとも１つのクランプ部６は、脱臭装置１へ、好適には脱着可能な方式で、接続することのできる脱臭装置１の別体部分として具現化されているのが好ましい。而して、様々に異なった寸法の、具体的には様々に異なった断面の、複数のクランプ部が、脱臭装置を有する使用者にとって利用可能となり、その場合、複数のクランプ部（例えば、３つのクランプ部）は換気スロットの３通りの異なった幅に適するように設計されている。そうすれば、使用者は、自分の、普通はそれぞれ異なった幅の換気スロットを有する乗用車、バン、又はトラックで、１つ又はそれ以上のクランプ部を交換することによって同じ脱臭装置を使用することができるという効用上の利点を有する。
【００３４】
本出願の好適な実施形態及び構成は発明を説明してはいるが、特に指摘しておくべきこととして、本発明はこれらに限定されるものではなく、以下に規定されている特許請求の範囲による範囲内で他のやり方で具現化される余地があり、具現化することができる。
【符号の説明】
【００３５】
１  脱臭装置
２  脱臭剤用容器
３  脱臭剤
４  保持装置
５  芳香スティック
６  クランプ部
７  開口部
８  開口部
１０  取り外し可能な覆い
１１  取り外し可能な側壁
１２  調節可能なスライダ
１３  タブ
１４  把持部
１５  開口部
１６  吐出開口部
１８  パネル
１９、１９’  シャフト
２１  突起
２２、２２’  支持部材
２３  リブ
【図１】
0005890001.tif 000002
【図２】
0005890001.tif 000003
【図３】
0005890001.tif 000004
【図４】
0005890001.tif 000005
【図５】
0005890001.tif 000006
【図６】
0005890001.tif 000007
【図７】
0005890001.tif 000008
【図８ａ）】
0005890001.tif 000009
【図８ｂ）】
0005890001.tif 000010
【図８ｃ）】
0005890001.tif 000011
【図９ａ）】
0005890001.tif 000012
【図９ｂ）】
0005890001.tif 000013
【図１０ａ）】
0005890001.tif 000014
【図１０ｂ）】
0005890001.tif 000015
【図１１ａ）】
0005890001.tif 000016
【図１１ｂ）】
0005890001.tif 000017
【図１２ａ）】
0005890001.tif 000018
【図１２ｂ）】
0005890001.tif 000019
【図１３ａ）】
0005890001.tif 000020
【図１３ｂ）】
0005890001.tif 000021
【図１４】
0005890001.tif 000022
【図１５】
0005890001.tif 000023